(57)【要約】【課題】プラズマディスプレイパネル等の映像表示装置において静止画等を長時間表示させる場合、焼き付きが発生する場合があり、ディスプレイの焼き付きを効果的に軽減することを目的とする。【解決手段】時間計測部１１によって、複数の入力が同じ位置で表示されている時間の計測を行い、計測結果により焼き付きと判断された場合、表示位置制御部１２によって各入力の表示位置を決定し、表示位置切り換え部１３によって決定された表示位置に映像位置を切り換え、映像合成部１４によって映像を合成し、映像出力部１５によって映像を出力する。【選択図】図１
2005208189.tif 000002
【特許請求の範囲】
【請求項１】
同一の画面に複数の映像を表示することが可能な多画面表示機能を用いてディスプレイの焼き付きを軽減する映像表示装置であって、複数の入力が同じ位置で表示されている時間を計測する時間計測部と、この時間計測部の結果により、映像表示位置を切り換える判定を行う表示位置制御部と、この表示位置制御部により映像信号を選択する表示位置切り換え部と、選択された複数の映像信号を同一の映像画面に合成する映像合成部と、合成された映像信号を出力する映像出力部とを備えた映像表示装置。
【請求項２】
映像の動画レベルを検出する動画レベル検出部を設け、この動画レベル検出部からの情報により表示位置制御部において表示位置を切り換える判定を行うように構成した請求項１記載の映像表示装置。
【発明の詳細な説明】
【技術分野】
【０００１】
本発明は、同一の画面に複数の映像を表示することが可能な多画面表示機能を用いてディスプレイの焼き付きを軽減する映像表示装置に関するものである。
【背景技術】
【０００２】
プラズマディスプレイなどの映像表示装置においては、静止画等の映像を長時間表示させると、ディスプレイに焼き付きを生じさせることがある。このため、一定時間毎に映像表示装置を数ドット単位で移動させることにより、見た目に影響がないように焼き付きを防止する方法が考えられている（特許文献１参照）。
【特許文献１】特開２０００−２２７７５号公報
【発明の開示】
【発明が解決しようとする課題】
【０００３】
しかしながら、一定時間毎に映像表示位置を数ドット単位で移動させることにより、見た目に影響がないように焼き付きを防止する方法に関しては、移動する範囲の映像が単一の静止画映像である場合には効果がなく、焼き付きを発生させていた。
【０００４】
本発明はこのような課題に鑑みなされたもので、ディスプレイの焼き付きを効果的に軽減することを目的とするものである。
【課題を解決するための手段】
【０００５】
上記課題を解決するために本発明においては、同一の画面に複数の映像を表示することが可能な多画面表示機能を用いてディスプレイの焼き付きを軽減する映像表示装置であって、複数の入力が同じ位置で表示されている時間を計測する時間計測部と、この時間計測部の結果により映像表示位置を切り換える判定を行う表示位置制御部と、表示位置制御部により映像信号を選択する表示位置切り換え部と、選択された複数の映像信号を同一の映像画面に合成する映像合成部と、合成された映像信号を出力する映像出力部とを備えたものである。
【０００６】
また請求項１において、映像の動画レベルを検出する動画レベル検出部を設け、この動画レベル検出部からの情報により、表示位置制御部において表示位置を切り換える判定を行うように構成したものである。
【発明の効果】
【０００７】
本発明によれば、ユーザーが煩わしい操作をすることなく、同一映像が長時間表示されることによるディスプレイの焼き付きを効果的に軽減することができる。
【発明を実施するための最良の形態】
【０００８】
以下、本発明の一実施の形態による映像表示装置について、図１〜図４を用いて説明する。
【０００９】
図１は本発明の一実施の形態による映像表示装置の要部を示すブロック図であり、図２はその装置によって表示される映像の一例を示す説明図である。
【００１０】
まず図１において、１１は複数の入力が同じ位置で表示されている時間を計測する時間計測部、１２は時間計測部１１の時間検出結果によって表示位置を決定する表示位置制御部、１３は複数の入力信号を表示位置制御部１２によって選択された表示位置に切り換える表示位置切り換え部、１４は選択された入力信号を合成し、同一の映像に合成する映像合成部、１５は映像合成部１４によって合成された映像を出力する映像出力部である。
【００１１】
この図１の構成では、入力１が表示位置１に、入力２が表示位置２に表示されている状態においては、表示位置切り換え部１３において、入力１の映像信号が表示位置１に、また入力２の映像信号が表示位置２に入力されるようＡの経路が選択され、映像合成部１４によって、入力１及び入力２の映像が表示位置１及び表示位置２の場所に映像が合成されて表示される。例えば図２（ａ）のような映像が入力１に、図２（ｂ）のような映像が入力２に入力され、表示位置１が映像の左半分、表示位置２が映像の右半分である場合、図２（ｃ）のような出力画像１が出力される。
【００１２】
以上のように構成された映像表示装置について、以下その動作について説明する。
【００１３】
図２（ａ）、（ｂ）のような映像が共に静止画であり、同じ位置に長時間表示している場合、焼き付きを発生させる可能性がある。そこで、時間計測部１１によって入力１が表示位置１に、入力２が表示位置２に選択されている状態の時間計測を行う。そして、表示位置制御部１２において、時間計測部１１の検出結果による表示位置の決定を行い、時間計測部１１による同一入力の状態が判定時間Ｔになった条件によって表示位置切り換えを実行する。
【００１４】
この場合においては、切り換える前の状態が入力１の映像信号が表示位置１、また入力２の映像信号が表示位置２に表示されている状態であるので、入力１の映像信号を表示位置２に、また入力２の映像信号を表示位置１に切り換えるように決定する。表示位置切り換え部１３において、入力１の映像信号が表示位置２に、また入力２の映像信号が表示位置１に入力されるようにＢの経路を選択する。映像合成部１４によって、入力１及び入力２の映像が表示位置２及び表示位置１の場所に合成され、映像出力部１５によって映像が出力される。例えば、この切り換え処理が発生する前が図２（ｃ）の映像である場合、切り換え発生後は図２（ｄ）のような映像が得られる。
【００１５】
図３は本発明の他の実施の形態を示すブロック図、図４はその装置によって表示される映像の一例を示す説明図である。２１は複数の入力が同じ位置で表示されている時間を計測する時間計測部、２２は時間計測部２１の時間検出結果によって表示位置を決定する表示位置制御部、２３は複数の入力信号を表示位置制御部２２によって選択された表示位置に切り換える表示位置切り換え部、２４は選択された入力信号を合成し、同一の映像に合成する映像合成部、２５は映像合成部２４によって合成された映像を出力する映像出力部、２６は映像の動画レベルを検出する動画レベル検出部である。
【００１６】
この図３の装置において、入力１が表示位置１に、入力２が表示位置２に表示されている状態においては、表示位置切り換え部２３において、入力１の映像信号が表示位置１に、また入力２の映像信号が表示位置２に入力されるようＡの経路が選択されている。映像合成部２４によって、入力１及び入力２の映像が表示位置１及び表示位置２の場所に映像が合成されて表示されている。例えば図４（ａ）のような映像が入力１に、図４（ｂ）のような映像が入力２に入力され、表示位置１が映像の左半分、表示位置２が映像の右半分である場合、図４（ｅ）のような映像が出力される。
【００１７】
以上のように構成された映像表示装置について、以下その動作について説明する。
【００１８】
図４（ａ）、（ｂ）のような映像が共に静止画であり、同じ位置に長時間表示している場合、焼き付きを発生させる可能性がある。ただし、図４（ｃ）、（ｄ）のように映像が変化している場合、焼き付きが発生する可能性は低く、映像の表示位置を切り換える頻度を少なくすることができる。従って、映像の動画レベルを検出することによって、映像に合わせた最適な映像表示位置の切り換えを行うことができる。
【００１９】
時間計測部２１によって入力１が表示位置１に、及び入力２が表示位置２に選択されている状態の時間計測を行う。一方、動画レベル検出部２６において、映像の動画レベルの検出を行い、静止画であるか動画であるか判定する。表示位置制御部２２において、時間計測部２１の検出結果、及び動画レベル検出部２６の検出結果による表示位置の決定を行う。動画レベル検出部２６によって映像が静止画であると判定された場合は、時間計測部２１による同一入力の状態が、判定時間Ｔ１になった条件によって表示位置切り換えを実行する。また、動画レベル検出部２６の動画レベル検出結果が動画であると判定された場合は、時間計測部２１による同一入力状態が、判定時間Ｔ２になった条件で表示位置切り換えを実行する。Ｔ１に比べ、Ｔ２は大きな時間であってよい。
【００２０】
この場合においては、切り換える前の状態が入力１の映像信号が表示位置１、入力２の映像信号が表示位置２の映像合成部に入力されている状態であるので、入力１の映像信号を表示位置２に、また入力２の映像信号を表示位置１に切り換えるようにＢの経路が選択される。映像合成部２４によって、入力１及び入力２の映像が表示位置２及び表示位置１の場所に合成され、映像出力部２５によって映像が出力される。例えば、この切り換え処理が発生する前が図４（ｅ）の映像である場合、切り換え発生後は図４（ｆ）のような映像が得られる。
【産業上の利用可能性】
【００２１】
以上のように本発明によれば、ユーザーの操作を必要とすることなく、同一映像が長時間表示されることによる焼き付きを防止することができ、プラズマディスプレイなどの映像表示装置にとって有用な発明である。
【図面の簡単な説明】
【００２２】
【図１】本発明の一実施の形態による映像表示装置の要部を示すブロック図
【図２】同装置の動作を説明するための説明図
【図３】本発明の他の実施の形態による映像表示装置の要部を示すブロック図
【図４】同装置の動作を説明するための説明図
【符号の説明】
【００２３】
１１，２１  時間計測部
１２，２２  表示位置制御部
１３，２３  表示位置切り換え部
１４，２４  映像合成部
１５，２５  映像出力部
２６  動画レベル検出部
【図１】
2005208189.tif 000003
【図２】
2005208189.tif 000004
【図３】
2005208189.tif 000005
【図４】
2005208189.tif 000006